(57)【要約】【課題】  ディスクを手で装着するときのミスチャックを低減する。【解決手段】  ディスク２を、３つの係合爪９４，９４，９４で把持するとともにディスク２のセンターホール２ａとチャックベース８５ａとの寸法差によるガタ（遊び）をガタ寄せ爪９６によりなくするようにし、このガタ寄せ爪９６の頭部９６ａの形状を、ディスク２の呼び込み面となる傾斜面９６ａ-2を急斜面とし、センターホール２ａを押圧する先端面９６ａ-1の、ガタ寄せ爪９６の頭部９６ａの先端面９６ａ-1と傾斜面９６ａ-2とで形成される辺が最先端となり、この最先端辺がディスク２の上面となるように形成したものである。【選択図】        図１ 
2005228374.tif 000002
【特許請求の範囲】
【請求項１】
ディスクが搭載されるターンテーブルと、
該ターンテーブルの中心に配設され、前記ディスクのセンターホールをクランプする出入自在の複数の保持部材と、
前記センターホールを半径方向外側の一方向に寄せる、ガタ寄せ部材とを有するディスクチャック装置において、
前記ガタ寄せ部材に設けられ、前記センターホールを一方向に寄せるための爪の先端が、前記ターンテーブルの面に対して略垂直な面と傾斜面とを有し、
前記爪の先端に設けられる前記略垂直な面が前記センターホールの内周面に当接し、
前記爪の先端に設けられる前記略垂直な面と前記傾斜面との境界の高さが、前記ディスクの厚みよりも高くなるようにした
ことを特徴とするディスクチャック装置。
【請求項２】
請求項１に記載のディスクチャック装置において、
回転中心に対して前記ガタ寄せ爪の反対側の側面に２つの膨出部を、前記ガタ寄せ爪の中心を２等辺三角形の頂点としたとき、前記２つの膨出部で２等辺三角形の底辺を構成するように設け、
前記膨出部の高さを、２枚張り合わせの前記ディスクのうちの前記ターンテーブル側の前記センターホールと係合するようにした
ことを特徴とするディスクチャック装置。
【発明の詳細な説明】
【技術分野】
【０００１】
本発明は、ＣＤ（Compact  Disc）やＤＶＤ（Digital Versatile Disc）などのディスク状記録媒体を把持して回転駆動する記録及び／又は再生装置に用いられる、ガタ寄せ爪を有するディスクチャック装置に関する。
【背景技術】
【０００２】
従来の光ディスクを用いた光ディスク付きビデオカメラ（撮像装置）には、図７に示すようなものがある。図７は、光ディスク付きビデオカメラ（撮像装置）の外観斜視図である。この撮像装置１は、ＤＶＤ用のディスクを、カートリッジを介することなく裸のまま手で撮像装置に装着することができ、このディスクにビデオ映像、音声などを記録したり、付属の液晶表示モニタやビューファインダあるいは外部の機器に接続して予め記録されているディスクの映像などを再生して撮影画像を確認できるようになされている。
【０００３】
以下、撮像装置１を図７〜図１６を参照して説明する。
【０００４】
図７に示す撮像装置１は、情報記憶メディアであるディスク状記録媒体の一具体例としてＤＶＤ（Digital Versatile Disc）を使用し、光学的な画像をＣＣＤ（固体撮像素子）で電気的な信号に変換してＤＶＤに記録したり液晶モニタ等の表示装置に表示したりできるようにしたもの（以下「ディスク式撮像装置」という。）である。
【０００５】
このディスク式撮像装置１は、着脱自在に装着されるディスク２を回転駆動して情報信号の記録（書き込み）及び再生（読み出し）を行うディスクドライブ装置３（図１０及び図１１参照）と、このディスクドライブ装置３の駆動制御等を行う制御回路が設けられたプリント基板４Ａ，４Ｂ，４Ｃ（図１０参照）と、被写体の像を光として取り込んでＣＣＤ５に導くレンズ装置６（図７〜図９参照）と、これらディスクドライブ装置３等が収納される外装ケース７（図８及び図１０参照）と、この外装ケース７に回動自在に取り付けられてディスク収納室８を開閉可能に覆うことができるディスク蓋９（図７，図８及び図１０参照）と、外装ケース７の内部を２つの室に仕切る仕切り壁１０（図１０参照）等を備えて構成されている。
【０００６】
外装ケース７は、図１０に示すように、ディスクドライブ装置３等を両側から挟むように組み合わされるディスク側パネル１２及び基板側パネル１３と、レンズ装置６の光軸方向の前後に配置されて両パネル１２，１３と組み合わされるフロントパネル１４（図８参照）及びリアパネル１５（図７参照）とからなり、これらによって中空の筐体が構成されている。
レンズ装置６は、図８に示すように、外装ケース７の上部に固定されていて、その対物レンズ１６がフロントパネル１４の上部を前方に貫通して前面に露出されている。外装ケース７の内部において、レンズ装置６の後方に不図示のＣＣＤが配置されており、そのＣＣＤの後方にビューファインダ１７が配置されている。
【０００７】
ビューファインダ１７は、図８に示すように、外装ケース７の上部に露出されていて、前側を回動中心として後部を上下方向へ回動可能に構成されている。これによりビューファインダ１７は、レンズ装置６の光軸と平行をなす水平状態から、後部を上方へ持ち上げた上向き状態まで所定角度範囲内で任意角度に角度調節可能とされている。さらに、外装ケース７の上部には、ビデオライトや外付けマイクロホン等が着脱自在に装着されるアクセサリーシュー１８がビューファインダ１７の前側に取り付けられている。そして、フロントパネル１４のレンズ装置６の下側にはステレオ方式のマイクロホン２０が内蔵されている。
【０００８】
外装ケース７のリアパネル１５の略中央部には、図７に示すように、電源バッテリー２１が着脱自在に装着されるバッテリー収納部２２が設けられている。バッテリー収納部２２は外装ケース７の上面及び背面に開口されていて、電源バッテリー２１は後方斜め上方から差し込み及び取り出し可能とされている。さらに、リアパネル１５には、吊り下げ用ストラップのための２個の取付金具２５が設けられている。２個の取付金具２５のうち、一方の取付金具２５は右サイドの上部に配置され、他方の取付金具２５は左サイドの下部に配置されている。
【０００９】
外装ケース７の基板側パネル１３には、図９に示すように、表示装置２７が姿勢変更可能に取り付けられている。表示装置２７は、平板状の液晶モニタ２８と、この液晶モニタ２８が収納されたパネルケース２９と、このパネルケース２９を外装ケース７に対して姿勢変更可能に支持するパネル支持機構３０とから構成されている。
【００１０】
パネル支持機構３０は、垂直軸を回動中心としてパネルケース２９を水平方向に略９０度回動可能とした水平回動機能と、水平軸を回動中心としてパネルケース２９を前後方向に略１８０度回動可能とした前後回動機能とを有している。これにより表示装置２７は、収納状態と、図９に示すパネルケース２９を９０度回動させて液晶モニタ２８を後方へ対向させた状態と、図９の状態からパネルケース２９を１８０度回動させて液晶モニタ２８を前方へ対向させた状態とを選択的に取ることができる。
【００１１】
さらに、基板側パネル１３には、図９に示すように、パネルケース２９によって開閉自在に覆われる多数の操作ボタンからなる内側操作部３２と、パネルケース２９の上方に配された多数の操作ボタンからなる外側上操作部３３と、パネルケース２９の前方に配された複数の操作ボタンや操作ダイヤルからなる外側前操作部３４が設けられている。
【００１２】
図８に示すように、外装ケース７のディスク側パネル１２には、ディスクドライブ装置３の一部を露出させるための開口部からなるディスク収納室８が設けられている。このディスク収納室８の略中央部にはディスクドライブ装置３のテーブル回転装置が配置され、その状態でディスクドライブ装置３が外装ケース７に支持されている。このディスク収納室８はディスク蓋９によって開閉可能に構成されている。
【００１３】
ディスク蓋９は、図８に示すように、ディスク収納室８の形状に見合う形状とされていて、ディスク収納室８の平面側を覆う平面部９ａと、この平面部９ａの一部に連続してディスク収納室８の側面切欠き部を覆う側面部９ｂを有している。さらに、ディスク蓋９の下端両側部には一対の軸受部９ｃ，９ｃが設けられており、これらの軸受部９ｃ，９ｃには支持軸３８が回動自在に挿通されている。支持軸３８の両端は各軸受部９ｃから外側に突出されていて、それらの突出端がディスク側パネル１２に固定されている。これによりディスク蓋９が、支持軸３８を介してディスク側パネル１２に回動自在に支持されている。
【００１４】
また、支持軸３８には捩りバネ３９が装着されており、捩りバネ３９の一端のバネ片はディスク蓋９に係止され、他端のバネ片はディスク側パネル１２に係止されている。これによりディスク蓋９は、捩りバネ３９のバネ力によってディスク収納室８を開放する方向に常時付勢されている。さらに、ディスク蓋９とディスク側パネル１２との間には、ディスク蓋９の開放量を制限するリンク機構４０が掛け渡されている。リンク機構４０は、ディスク蓋９に回動自在に支持された蓋側リンク４１と、ディスク側パネル１２に回動自在に支持されたパネル側リンク４２とからなり、両リンク４１，４２の先端部は互いに回動自在に連結されている。
【００１５】
ディスク蓋９は、図８に示すように、支持軸３８から最も離れた部分に配設された蓋ロック装置４４により、ディスク収納室８を閉じた状態においてロックできるように構成されている。この蓋ロック装置４４は、ディスク蓋９に固定された不図示のロック部材と、ディスク側パネル１２にスライドできるように取り付けられた操作部材５１及びスライド部材等を備えて構成されている。ロック部材にはロック爪が設けられている一方、スライド部材にはロック爪に係合する爪ストッパが設けられている。スライド部材の爪ストッパは、バネ部材のバネ力によってロック爪の移動軌跡上に配置されている。
【００１６】
かくして、ディスク蓋９をディスク側パネル１２側に押し付けることにより、爪ストッパに係合されるロック爪がバネ部材のバネ力に抗してスライド部材を後退させる。その結果、爪ストッパがロック爪を乗り越え、爪ストッパとロック爪が互いに係合される。これにより、ディスク収納室８がディスク蓋９によって閉じられ、ディスク蓋９がディスク側パネル１２にロックされる。このロックの解除は、バネ部材のバネ力に抗して操作部材５１をロック解除方向へスライド動作させることによって行うことができる。
【００１７】
また、ディスク側パネル１２には、図７及び図８にしめすように、ディスク蓋９を囲うようにハンドストラップ６０が取り付けられている。ハンドストラップ６０は、外装ケース７の把持部とされたディスク蓋９部分を把持するユーザーの手の部分を支えて、ディスク式撮像装置１の取り落とし等を防止するものである。
【００１８】
このハンドストラップ６０は、両端がディスク側パネル１２に固定された支持ベルト６１と、この支持ベルト６１に装着されてユーザーの手の甲部分に当接される保護パッド６２から構成されている。支持ベルト６１の一端はディスク側パネル１２の前側下部に固定された取付金具６３に固定され、他端はディスク側パネル１２の後側中途部に設けた貫通穴から内側に挿入されて、その内部に設けられた取付金具に固定されている。
【００１９】
図７に示すように、ディスク側パネル１２の後側中途部には、電源スイッチ６４と録画ボタン６５とモード切換ダイヤル６６が配置されている。そして、ディスク側パネル１２の後側上部には、シャッタボタン６７とズームレバー６８が配置されている。
【００２０】
このような構成を有する外装ケース７の材料としては、例えば、ＡＢＳ（アクリロニトリル・ブタジエン・スチレン樹脂）が好適であるが、その他のエンジニアリングプラスチックを適用できることは勿論のこと、合成樹脂以外のアルミニウム合金等の金属を用いることもできる。
【００２１】
上述した外装ケース７の内部は、図１０に示すように、仕切り壁１０によって左右方向（レンズ装置６の光軸と交差する方向）に仕切られて、ディスクドライブ装置３側の第１の室７２とプリント基板４Ａ，４Ｂ，４Ｃ側の第２の室７３が設けられている。仕切り壁１０は、板状の部材で形成されていて、外装ケース７の内部にネジ等の固着手段によって締付固定されている。この仕切り壁１０はフレームの役割をなすもので、一面側にはディスクドライブ装置３を支持するための支持突起７４が複数個設けられ、他面側にはプリント基板４Ａ等を支持するための支持片７５が多数個設けられている。
【００２２】
さらに、仕切り壁１０には、重量を軽くするための不図示の開口部や切欠きが複数箇所に設けられている。仕切り壁１０の材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。なお、開口部及び切欠きの大部分は、第１の室７２と第２の室７３間を仕切って熱が伝わり難い構造とするため、絶縁板１１によって塞がれている。
【００２３】
すなわち、仕切り壁１０の一面には、図１１において格子模様で示すように、仕切り壁１０の略全体を覆うように所定の形状及び構造を有する絶縁板１１が重ね合わされて、一体に構成されている。この絶縁板１１の仕切り壁１０への固定は、ネジあるいは接着剤で行われる。絶縁板１１の材料としては、例えば軽くて絶縁性のあるＡＢＳ樹脂などが用いられる。
【００２４】
仕切り壁１０の絶縁板１１が重ね合わされた面には、図１０に示すように、弾性体からなるインシュレータ７７を介してディスクドライブ装置３が弾性的に支持されている。インシュレータ７７は、円筒状に形成されたゴム状弾性体からなり、その外周面の軸方向中途部には周方向に連続する環状溝７７ａが設けられている。
【００２５】
このインシュレータ７７の所定個数が、図１１に示すように、ディスクドライブ装置３の導体からなるメカシャーシ８０の４箇所のインシュレータ受け部８０ａやインシュレータ受け片８０ｂに設けた切欠き穴に、それぞれ環状溝７７ａを嵌合させることによって装着されている。そして、これら４個のインシュレータ７７が、仕切り壁１０の一面に突設された４個の支持ピン７４にそれぞれ嵌合されている。
各支持ピン７４は、インシュレータ７７と同程度の直径を有する支持部７４ａと、この支持部７４ａの中央部に突出された突起部７４ｂとからなり、仕切り壁１０にそれぞれカシメ等の固着手段により固定されている。
【００２６】
この支持ピン７４の突起部７４ｂにインシュレータ７７の中央穴を嵌合することにより、４個のインシュレータ７７が支持ピン７４にそれぞれ装着されている。そして、各支持ピン７４の突起部７４ｂ先端に螺合される取付ネジ７８により、それぞれのインシュレータ７７の脱落が防止されている。このようなインシュレータ７７を介して仕切り壁１０に弾性支持されたメカシャーシ８０は、十分に大きな強度を有する枠状の部材によって構成されている。そして、仕切り壁１０とメカシャーシ８０とは、電気の伝導性に優れた図示しないアース部材によって互いに導通されている。
【００２７】
また、メカシャーシ８０には、図１０及び図１１に示すように、ディスク２が着脱自在に装着されるテーブル回転装置８２と、光学ピックアップ装置８６が搭載されている。テーブル回転装置８２は、メカシャーシ８０に設けられるサブメカシャーシ８１に固定されたスピンドルモータ８３と、このスピンドルモータ８３の回転部に固定されたディスクチャック装置から構成されている。
【００２８】
図１２は、テーブル回転装置８２の側断面図を示している。図１２に示すように、スピンドルモータ８３の回転体となるロータ８３ｂは、純鉄などの板金を逆カップ状にプレス成形したあと、さらに底の中心部を外側に膨らませるように成形され、底に段差８３ｃが設けられる。それから、逆カップ状のロータ８３ｂの上部（逆カップの底）にターンテーブル８４とチャック８５からなるディスクチャック装置が設けられる。
ロータ８３ｂの中心にロータボス５４との固定用の孔を形成し、カップ底部の周辺にターンテーブル８４との固定用の孔を形成する。そして、ロータ８３ｂに対して、ターンテーブル８４とロータボス５４とがプラスチックの射出成形などによって一体に成形される。
【００２９】
ロータボス５４は、図１２に示すように、中心に回転軸８３ａを圧入固定する孔を有する円筒を上方に突出するように形成し、ロータ８３ｂのカップの中心孔とロータボス５４の下部で固定され、上部で後述のチャック８５と嵌合するようになされる。このとき、ロータ８３ｂの逆カップの底面に対してロータボス５４の中心に設けられる孔の中心軸が垂直となるように位置決めされている。
【００３０】
ターンテーブル８４は、図１２及び図１３に示すように、大きな座金状の円環で厚さがロータ８３ｂの底に設けられた段差８３ｃと略同じになるように形成されている。また、ターンテーブル８４の肉厚のばらつきを小さくし、重心が回転中心から外れないように形成される。
なお、ゴムやエラストマなどの摩擦係数の大きい材質でできたフリクションシート８４ａが、その摩擦抵抗を大きくした側を上にしてターンテーブル８４の円環の外周辺に接着固定される。
なお、逆カップ状のロータ８３ｂの内側下縁に複数のロータマグネット５７が設けられている。
【００３１】
一方、サブメカシャーシ８１に立設されている回転軸８３ａ側には複数のステータ５５及びホール素子５８設けられる。そして、ロータ８３ｂのロータボス５４の中心孔をスピンドルモータ８３の回転軸８３ａに圧入してテーブル回転装置８２（図１０参照）が組み立てられる。
このとき、サブメカシャーシ８１の面に対して回転軸８３ａが垂直に立設され、この回転軸８３ａに圧入固定されるロータボス５４と一体に形成されているロータ８３ｂに設けられているターンテーブル８４のディスク２の載置部となるフリクションシート８４ａの面は、サブメカシャーシ８１の面と平行に設定される。
すなわち、ディスク２の回転しているときの上面がサブメカシャーシ８１の面に平行となるように構成される。なお、ホール素子５８はロータ８３ｂのロータマグネット５７と対向する位置に設けられる。
【００３２】
それから、サブメカシャーシ８１に組み付けられたロータ８３ｂのロータボス５４の円筒に、ディスク２をチャッキングするためのチャック８５が設けられる。
チャック８５は、略円板状の外形を有し、ディスク２のセンターホール２ａが嵌合されチャックベース８５ａと、ディスク２を保持する３つの係合爪９４，９４，９４と、１つのガタ寄せ爪９６などから構成される。
【００３３】
以下、チャックベース８５ａについて図１２〜図１６を参照して説明する。
チャックベース８５ａは、プラスチック成型などで形成され、円板状に形成されるチャックベース８５ａの上面８５ａ-1の略中央には、図１２に示すように、ロータボス５４を圧入固定するための孔８５ｂが設けられ、この孔８５ｂの上面８５ａ-1の周縁に円状に突出した部分、すなわち突部８５ａ-2が設けられる。
【００３４】
そして、図１３に示すように、ディスク２を把持するための３つの係合爪９４，９４，９４を摺動自在とするための摺動ガイド８５ａ-3が、この円状の突部８５ａ-2の周辺から３方に１２０°のピッチで、高さを突部８５ａ-2と略同じにして設けられる。また、この円状の突部８５ａ-2の周辺から半径方向外側で、孔８５ｂの中心に対して係合爪９４の摺動ガイド８５ａ-3から６０°の箇所に、ガタ寄せ爪９６を摺動自在とするための１つの摺動溝８５ａ-4が設けられる。
【００３５】
ディスク２を把持するためにチャックベース８５ａ上で３方向に設けられる係合爪９４は、前上方からの斜視図１４Ａ，後上方からの図１４Ｂ，側面図の図１４Ｃに示すように、チャックベース８５ａの摺動ガイド８５ａ-3と摺動自在に係合する頭部９４ａと、チャックベース８５ａ内に設けられる不図示の摺動面と係合するスライダー９４ｂと、第１の圧縮コイルバネ９５を組み込むための円柱状の突起９４ｃからなる。
【００３６】
そして、ディスク２が係合爪９４で把持されるとき、図１４Ａ及びＣに示す係合爪９４の先端面９４ａ-1の下辺９４ａ-5がディスク２の上面となるような寸法に作製され、面９４ａ-3の楔効果でターンテーブル８４のフリクションシート８４ａに密着させて、確実な把持がなされるようにしている。
なお、係合爪９４の頭部９４ａの傾斜面９４ａ-2は、ディスク２を手で装着するときに、第１の圧縮コイルバネ９５に抗して係合爪９４が滑らかに後退するような傾斜角度とされる。また、先端面９４ａ-1の突き出し量は、ディスク２が正規位置に組み込まれたとき確実な把持を維持できるように決められる。
【００３７】
また、ガタ寄せ爪９６が、ディスク２のセンターホール２ａとチャックベース８５ａとのがた（遊び）がないように把持するためにチャック８５に設けられているが、このガタ寄せ爪９６は、図１５Ａ〜Ｃに示すように、チャックベース８５ａの摺動溝８５ａ-4と摺動自在に係合する頭部９６ａと、チャックベース８５ａ内に設けられる不図示の摺動面と係合するスライダー９６ｂと、第２の圧縮コイルバネ９７を組み込むための円柱状の突起９６ｃから形成されている。
【００３８】
このとき、図１５Ａ及びＣに示すガタ寄せ爪９６の先端面９６ａ-1の平面が、ディスク２のセンターホール２ａの内周面の下半分の第１層ディスク２-1（図１２参照）に当接する寸法に作製される。すなわち、ガタ寄せ爪９６の頭部９６ａは、傾斜面９６ａ-2と先端面９６ａ-1の境界の辺９６ａ-4が、ディスク２の第１層ディスク２-1のセンターホールの内周面に配置されるような寸法に作製される。
これは、ディスク式撮像装置１で使用するＤＶＤ用のディスク２が、センターホールが形成された第１層ディスク２-1と第２層ディスク２-2が２枚張り合わせて構成されるものであり、張り合わせの際にセンターホール２ａの合わせずれがどうしても生じてしまうため、記録再生面となるターンテーブル８４側のディスク面である第１層ディスク２-1のセンターホールを基準にガタ寄せを行うためである（図１２参照）。
【００３９】
また、チャックベース８５ａの３つの摺動ガイド８５ａ-3，８５ａ-3，８５ａ-3に係合爪９４，９４，９４が設けられ、後方の突起９４ｃ，９４ｃ，９４ｃに組み込んだ第１の圧縮コイルバネ９５，９５，９５によって係合爪９４，９４，９４が半径方向外側へ付勢される。
また、１つの摺動溝８５ａ-4にガタ寄せ爪９６が設けられ、後方の突起９６ｃに組み込んだ第２の圧縮コイルバネ９７によってガタ寄せ爪９６が半径方向外側へ付勢される。
なお、第２の圧縮コイルバネ９７は、第１の圧縮コイルバネ９５よりも大きなバネの付勢力をもつように設定されている。
【００４０】
このようにターンテーブル８４とチャック８５から構成されるディスクチャック装置では、チャックベース８５ａの３つの摺動ガイド８５ａ−３に設けられる係合爪９４，９４，９４は、ディスク２のセンターホール２ａの内周縁部に係合してディスク２をターンテーブル８４のフリクションシート８４ａとの間で保持する。そして、係合爪９４，９４，９４は、第１の圧縮コイルバネ９５，９５，９５によって半径方向外側へ付勢されており、この第１の圧縮コイルバネ９５のバネ力に抗して係合爪９４を後退させることにより、チャックベース８５ａに対するディスク２の着脱作業ができるようになされる。
【００４１】
また、チャックベース８５ａのガタ寄せ爪９６が、図１２及び図１３に示すように、ディスク２のセンターホール２ａの内周面で第２の圧縮コイルバネ９７によって半径方向外側に付勢されて、ガタがないようにしている。
このように構成することにより、３つの係合爪９４，９４，９４で、ディスク２のセンターホール２ａを把持し、ガタ寄せ爪９６でセンターホール２ａの内周面がチャックベース８５ａの側面に確実に当接するようになされ、ガタを生じることなくディスク２を回転できるようにしている。
【００４２】
このディスクチャック装置でのディスク２の撮影者の手によるディスクチャック操作を図１４〜図１６を参照して説明する。
【００４３】
本来の正規のディスク２のチャック状態では、図１６Ａに示すように、係合爪９４の先端面９４ａ-1の下辺９４ａ-5（図１４Ｃ参照）は、ディスク２の上方に露呈しており、ディスク２の誘い部分となるガタ寄せ爪９６の傾斜面９６ａ-2がディスク２の内側にあり、先端面９６ａ-1の上辺９６ａ-4（図１５Ｃ参照）が、ディスク２の第１層ディスク２-1のセンターホールの内周面を押すようにしている。
なお、図１６Ｂ及びＣは、後述するディスク２の装着過程を説明するための図である。図１６Ｂはディスク２を略水平にしてチャックベース８５ａに押し付けた装着途中の状態説明図、図１６Ｃは、図１６Ｂの状態からディスク２を押したときのガタ寄せ爪９６にディスク２が乗り上げた状態の説明図である。
【００４４】
このように構成されたテーブル回転装置８２は、ディスク２を、３つの係合爪９４，９４，９４で把持し、ガタ寄せ爪９６でディスク２のセンターホール２ａを一方向にガタを生じないように付勢した状態で、スピンドルモータ８３により回転駆動されている。
なお、このとき、複数のホール素子５８を磁極センサに用いてロータマグネット５７がどの位置にあるのかを検知し、この信号をもとに電子回路を制御して、回転軸８３ａの周辺に配されるステータ５５に回転磁界を発生させ、高い回転性能と長寿命をもたせるようにしている。
【００４５】
また、従来のＤＶＤなどの光ディスクを記録媒体としてビデオ撮影に用いたディスク式撮影装置には特許文献１に開示されているものがある。
特許文献１には、光ディスクドライブと一体化された光ディスク付きビデオカメラ（撮像装置）が開示されている。この光ディスク付きビデオカメラ（撮像装置）は、ＤＶＤディスクをカートリッジに収納したままディスク収納室に装着したり取り出したりすることができるようにした光ディスクのドライブとビデオカメラが一体化された小型のディスク式撮像装置である。
【特許文献１】特開２００１−１１１８７７号公報（第２頁、図１３）
【発明の開示】
【発明が解決しようとする課題】
【００４６】
しかしながら、図７例のディスク式ビデオカメラ（撮像装置）１では、ディスクカートリッジを用いていないのでビデオカメラの大きさをコンパクトにでき、ホームユースに好適なものとできるものの、ディスク蓋９を開いて裸のディスク２を手扱いでビデオカメラのディスクドライブ機構のチャック８５へ装着するため、ディスク２の装着における不具合があった。
すなわち、２枚張り合わせて構成されるＤＶＤのディスク２の下側（記録及び／又は再生しようとする第１層ディスク２-1側）のセンターホールの内周面をガタ寄せ爪９６で押すようにして、ガタ寄せを行い、ディスク２の回転中心のぶれを低減するようにしていた。
【００４７】
また、図１６Ｂは、２枚張り合わせのディスク２をターンテーブル８４に対して略平行に近づけ、センターホール２ａの内周面に係合爪９４が接し、センターホール２ａの下の縁辺がガタ寄せ爪９６に接した状態であるが、この図１６Ｂに示す状態から、図１６Ｃに示すディスク２が傾いた状態で押し込まれると、センターホール２ａの下（第１層ディスク２-1）の縁辺、あるいは、第１層ディスク２-1と第２層ディスク２-2との境界のセンターホール２ａでの張り合わせずれによる段差などによって、ディスク２がガタ寄せ爪９６の傾斜面９６ａ-2に乗り上げ、引っかかった状態となることがあった。
すなわち、係合爪９４の頂点９４ａ-1をディスク２のセンターホール２ａが越えても、ガタ寄せ爪９６の斜面９６ａ-2にディスク２が乗り、撮影者が一見してディスク２が正常に装着されたように感じてしまうことがあった。  そして、そのままディスク蓋９を閉じ、撮影を開始してからディスク２の装着が不完全であることが判り、撮影のタイミングを失ってしまうという不都合が生じていた。
【００４８】
また、ＤＶＤ用のディスク２においてはセンターホール２ａの仕様上公差が認められており、チャックベース８５ａとディスク２のセンターホール２ａの径のばらつきによって、例えば最大０．１５ｍｍのがたを生じるという問題があった。
そして、このガタをなくすために上述のようにガタ寄せ爪９６で半径方向の外側に付勢されるのであるが、ガタ寄せ爪９６により一方向に付勢されガタ寄せされるものの、チャックベース８５ａとセンターホール２ａの接点がガタ寄せの反対側の１点であるため、ディスク２を確実に一方向に付勢することができなかった。
【００４９】
また、特許文献１に開示されているディスク付きビデオカメラでは、光ディスクが収納されたカートリッジをビデオカメラに装着するため、内蔵されているディスクドライブ機構のチャックへのセッティングの問題は生じにくいものの、カートリッジの収納スペースを確保するためビデオカメラが大きくなる不都合があった。
【００５０】
本発明はかかる点に鑑み、ディスク単体で使用するディスク記録及び／又は再生装置において、ディスク装着における不具合を生じにくいディスクチャック装置を提供することを目的とする。
【課題を解決するための手段】
【００５１】
上記課題を解決し、本発明の目的を達成するため、本発明は、ディスクチャック装置において、ディスクが搭載されるターンテーブルと、ターンテーブルの中心に配設され、ディスクのセンターホールをクランプする出入自在の複数の保持部材と、センターホールを半径方向外側の一方向に寄せる、ガタ寄せ部材とを有するディスクチャック装置において、ガタ寄せ部材に設けられセンターホールを一方向に寄せるための爪の先端が、このターンテーブルの面に対して略垂直な面と傾斜面とを有し、爪の先端に設けられる略垂直な面がこのセンターホールの内周面に当接し、爪の先端に設けられる略垂直な面と傾斜面との境界の高さが、ディスクの厚みよりも高くなるようにしたものである。
【００５２】
このように構成したディスクチャック装置によれば、ディスクを装着したとき、ガタ寄せ爪の略垂直な面の上端がディスクの上面より上に位置するようになっているため、手でディスクを装着する際における爪の先端の傾斜面とディスクのセンターホールの内周面と係合距離が短くなり略垂直な面に到る。そして、この爪の略垂直な面でディスクの傾きが修正されるため、ディスクが傾いてチャックに装着されるおそれを大幅に低減させることができる。
【００５３】
また、本発明は、上記記載のディスクチャック装置において、回転中心に対してガタ寄せ爪の反対側の側面に２つの膨出部を、ガタ寄せ爪の中心を２等辺三角形の頂点としたとき、この２つの膨出部で２等辺三角形の底辺を構成するように設け、この膨出部の高さを、２枚張り合わせのディスクのうちのターンテーブル側のセンターホールと係合するようにしたものである。
【００５４】
このように構成したディスクチャック装置によれば、チャックに２つの膨出部が形成されているので、ガタ寄せ爪が、２つの膨出部とともにディスクのセンターホールの内周面に内接し、常に半径方向外側で２等辺三角形の頂点方向に付勢し、ディスクにガタを生じることのない安定した把持を行うようにすることができる。
【発明の効果】
【００５５】
本発明のディスクチャック装置によれば、ディスクが傾いてチャックに装着されるおそれを大幅に低減させ、ディスク装着における不具合を生じにくいものとすることができる。
【発明を実施するための最良の形態】
【００５６】
以下、本発明のディスクチャック装置を実施するための最良の形態の例を図１〜図６を参照して説明する。
本例のディスクチャック装置は、従来の図７〜図１１例と同様に、ＤＶＤ用のディスク２を用いるディスク式撮像装置１のディスクドライブ装置３に組み込まれ、このディスクドライブ装置３のテーブル回転装置８２（図１０参照）を構成するスピンドルモータ８３のロータ８３ｂ上に形成されるものである。
【００５７】
そして、本例のディスクチャック装置は、従来の図１２〜図１６例と同様に、ターンテーブル８４と３つの係合爪９４，９４，９４は同じであるが、ただ、ガタ寄せ爪９６の形状と、チャックベース８５ａの側面に２つの膨出部が設けられている点が異なっている。
以下では、この図１〜図６を説明するに図７〜図１６に対応する部分には同一の符号を付し説明する。
【００５８】
図１は、テーブル回転装置８２の側断面図を示している。このテーブル回転装置８２は、図１０に示すように、メカシャーシ８０にサブメカシャーシ８１を介して固定されている。そして、テーブル回転装置８２は、このサブメカシャーシ８１に固定されたスピンドルモータ８３と、このスピンドルモータ８３の回転部に固定されたディスクチャック装置から構成されている。
【００５９】
図１に示すように、スピンドルモータ８３の回転体となるロータ８３ｂは、純鉄などの板金を逆カップ状にプレス成形したあと、さらに底の中心部を外側に膨らませるように成形され、底に段差８３ｃが設けられる。それから、逆カップ状のロータ８３ｂの上部（逆カップの底）にターンテーブル８４とチャック８５からなるディスクチャック装置が設けられる。
ロータ８３ｂの中心にロータボス５４を固定する孔を形成し、カップ底部の周辺にターンテーブル８４を固定する孔を形成する。そして、ロータ８３ｂに対して、ターンテーブル８４とロータボス５４とがプラスチックの射出成形などによって一体に成形される。
【００６０】
ロータボス５４は、図１に示すように、中心に回転軸８３ａを圧入固定する孔を有する円筒を上方に突出するように形成し、ロータ８３ｂのカップの中心孔とロータボス５４の下部で固定され、上部で後述のチャック８５と嵌合するようになされる。このとき、ロータ８３ｂの逆カップの底面に対してロータボス５４の中心に設けられる孔の中心軸が垂直となるように位置決めされている。
【００６１】
ターンテーブル８４は、図１及び図２に示すように、大きな座金状の円環で厚さがロータ８３ｂの底に設けられた段差８３ｃと略同じになるように形成されている。また、ターンテーブル８４の肉厚のばらつきを小さくし、重心が回転中心から外れないように形成される。
なお、ゴムやエラストマなどの摩擦係数の大きい材質でできたフリクションシート８４ａが、その摩擦抵抗を大きくした側を上にしてターンテーブル８４の円環の外周辺に接着固定される。
なお、逆カップ状のロータ８３ｂの内側下縁に複数のロータマグネット５７が設けられている。
【００６２】
一方、サブメカシャーシ８１に立設されている回転軸８３ａ側には複数のステータ５５及びホール素子５８設けられる。そして、ロータ８３ｂのロータボス５４の中心孔をスピンドルモータ８３の回転軸８３ａに圧入してテーブル回転装置８２（図１０参照）が組み立てられる。
このとき、サブメカシャーシ８１の面に対して回転軸８３ａが垂直に立設され、このサブメカシャーシ８１の面と平行にディスク２の載置部となるターンテーブル８４に装着されたフリクションシート８４ａの面が配置されている。
なお、ホール素子５８はロータ８３ｂのロータマグネット５７と対向する位置に設けられる。
【００６３】
なお、サブメカシャーシ８１に組み付けられたロータ８３ｂのロータボス５４の円筒に、ディスク２をチャッキングするためのチャック８５が設けられている。
チャック８５は、略円板状の外形を有し、ディスク２のセンターホール２ａが嵌合されチャックベース８５ａと、ディスク２を保持する３つの係合爪９４，９４，９４と、１つのガタ寄せ爪９６などから構成される。
【００６４】
以下、チャックベース８５ａについて図２及び図３を参照して説明する。
【００６５】
図２は、図１に示すテーブル回転装置８２を斜め上方から見た外観斜視図を示し、図３はチャックベース８５ａの形状の説明図である。
チャックベース８５ａは、プラスチック成型などで形成され、円板状に形成されるチャックベース８５ａの上面８５ａ-1の略中央には、図２に示すように、ロータボス５４を圧入固定するための孔８５ｂが設けられる。そして、この孔８５ｂの上面８５ａ-1の周縁に円状に突出した部分、すなわち突部８５ａ-2が設けられる。
【００６６】
また、図２に示すように、ディスク２を把持するための３つの係合爪９４，９４，９４を摺動自在とするための摺動ガイド８５ａ-3が、この円状の突部８５ａ-2の周辺から３方に１２０°のピッチで、高さを突部８５ａ-2と略同じにして設けられる。そして、この円状の突部８５ａ-2の周辺から半径方向外側で、孔８５ｂの中心に対して係合爪９４の摺動ガイド８５ａ-3から６０°の箇所に、ガタ寄せ爪９６を摺動自在とするための１つの摺動溝８５ａ-4が、設けられる。
【００６７】
また、図２に示すように、チャックベース８５ａの側面に２つの膨出部８５ａ-5，８５ａ-5が設けられる。ここで、図２に示すチャックベース８５ａ側面の1点鎖線８５ａ-6は、装着されたディスク２のセンターホール２ａの上縁辺（仮想線）を示しており、この膨出部８５ａ-5，８５ａ-5は、この1点鎖線８５ａ-6より下側に形成され、図１に示す２枚張り合わせのディスク２の下側の第1層ディスク２-1のセンターホールと係合するようになされる。
【００６８】
チャックベース８５ａの側面に設けられる２つの膨出部８５ａ-5，８５ａ-5について図３を参照して説明する。図３で、図３Ａはディスク２のセンターホール２ａとチャックベース８５ａとのガタがない状態、図３Ｂはセンターホール２ａの径が最大でチャックベース８５ａとのガタを生じた状態を示している。
【００６９】
図３Ａで、チャックベース８５ａと２つの膨出部８５ａ-5，８５ａ-5に外接している円Ｑは、例えば、Φ１５．００ｍｍの仮想のセンターホール２ａを示している。そして、図３Ａに示すように、本例のチャックベース８５ａ自体の径は、この円Ｑより小さく形成され、後述するガタ寄せを行うためのガタ寄せ爪９６による図の左への付勢方向とは反対側に２つの膨出部８５ａ-5，８５ａ-5が、ガタ寄せ爪９６とともに円Ｑに内接するように形成されている。
すなわち、この膨出部８５ａ-5，８５ａ-5は、ガタ寄せ爪９６とともにディスク２のターンテーブル８４側の第1層ディスク２-1のセンターホールの内周面に内接したとき、膨出部８５ａ-5，８５ａ-5の２つの接点とガタ寄せ爪９６の接点とで２等辺三角形をなすように設けられる。
【００７０】
また、図３Ａ及びＢに示すように、チャックベース８５ａの中心となる円Ｑの中心Ｏが、上述のスピンドルモータ８３の回転軸８３ａの中心に対して、Ｌ／４（センターホール２ａの製作上の寸法ばらつきＬの１／４）だけずれるように形成される。
すなわち、チャックベース８５ａとのガタがない、図３Ａに示すセンターホール２ａ径のとき、円Ｑの中心Ｏに対して回転軸８３ａの中心が膨出部８５ａ-5，８５ａ-5寄りで、Ｌ／４の距離とをもち、チャックベース８５ａとのガタを生じている、図３Ｂに示すセンターホール２ａ径のとき、円Ｑの中心Ｏに対して回転軸８３ａの中心がガタ寄せ爪９６寄りで、Ｌ／４の距離とをもつように組み込まれる。
【００７１】
ディスク２を把持するためにチャックベース８５ａ上で３方向に設けられる係合爪９４は、既に図１４Ａ〜Ｃに基づいて説明したように、チャックベース８５ａの摺動ガイド８５ａ-3と摺動自在に係合する頭部９４ａと、チャックベース８５ａ内に設けられる不図示の摺動面と係合するスライダー９４ｂと、第１の圧縮コイルバネ９５を組み込むための円柱状の突起９４ｃからなる。
【００７２】
そして、ディスク２が係合爪９４で把持されるとき、図１４Ａ及びＣに示す係合爪９４の先端面９４ａ-1の下辺９４ａ-5がディスク２の上面となるような寸法に作製され、面９４ａ-3の楔効果でターンテーブル８４のフリクションシート８４ａに密着させて、確実な把持がなされるようにしている。
なお、係合爪９４の頭部９４ａの傾斜面９４ａ-2は、ディスク２を手で装着するときに、第１の圧縮コイルバネ９５に抗して係合爪９４が滑らかに後退するような傾斜角度とされる。また、先端面９４ａ-1の突き出し量は、ディスク２が正規位置に組み込まれたとき確実な把持を維持できるように決められる。
【００７３】
また、ガタ寄せ爪９６が、ディスク２のセンターホール２ａとチャックベース８５ａとのがた（遊び）がないように把持するためにチャック８５に設けられているが、このガタ寄せ爪９６は、図４Ａ〜Ｃに示すように、チャックベース８５ａの摺動溝８５ａ-4と摺動自在に係合する頭部９６ａと、チャックベース８５ａ内に設けられる不図示の摺動面と係合するスライダー９６ｂと、第２の圧縮コイルバネ９７を組み込むための円柱状の突起９６ｃから構成される。
ここで、ガタ寄せ爪９６の頭部９６ａに設けられる傾斜面９６ａ-2の角度θは、図４Ａ及びＣに示すように、チャックベース８５ａの上面８５ａ-1に対して、従来の図１５Ｃに示す角度θよりも大きくなるように形成されている。また、ガタ寄せ爪９６の頭部９６ａに設けられる先端面９６ａ-1の角度Φは、０〜１０°、好ましくは１°以下で形成される。
【００７４】
そして、図４Ａ及びＣに示すガタ寄せ爪９６の先端面９６ａ-1の平面が、ディスク２のセンターホール２ａの内周面に当接するとともに、先端の傾斜面９６ａ-2と先端面９６ａ-1の境界の辺９６ａ-4が、ディスク２の上面より上の位置になるような寸法に作製される。
すなわち、ガタ寄せ爪９６の頭部９６ａは、傾斜面９６ａ-2と先端面９６ａ-1の境界の辺９６ａ-4が、ディスク２の上に配置されるような寸法に作製される。これは、２枚張り合わせで形成されるＤＶＤ用のディスク２の張り合わせにおける第１層ディスク２-1と第２層ディスク２-2のそれぞれのセンターホールのずれの有無にかかわらず、ガタ寄せ爪９６に当接した箇所をもってガタ寄せするためである。
【００７５】
また、チャックベース８５ａの３つの摺動ガイド８５ａ-3，８５ａ-3，８５ａ-3に係合爪９４，９４，９４が設けられ、後方の突起９４ｃ，９４ｃ，９４ｃに組み込んだ第１の圧縮コイルバネ９５，９５，９５によって係合爪９４，９４，９４が半径方向外側へ付勢されている。
また、１つの摺動溝８５ａ-4にガタ寄せ爪９６が設けられ、後方の突起９６ｃに組み込んだ第２の圧縮コイルバネ９７によってガタ寄せ爪９６が半径方向外側へ付勢される。
なお、第２の圧縮コイルバネ９７は、第１の圧縮コイルバネ９５よりも大きなバネの付勢力をもつように設定されている。
【００７６】
このようにターンテーブル８４とチャック８５から構成されるディスクチャック装置において、チャックベース８５ａの３つの摺動ガイド８５ａ−３に設けられる係合爪９４，９４，９４が、ディスク２のセンターホール２ａの内周縁部に係合してディスク２をターンテーブル８４のフリクションシート８４ａとの間で保持している。そして、係合爪９４，９４，９４は、第１の圧縮コイルバネ９５，９５，９５によって半径方向外側へ付勢されており、この第１の圧縮コイルバネ９５のバネ力に抗して係合爪９４を後退させることにより、チャックベース８５ａに対するディスク２の着脱作業が行われる。
【００７７】
また、チャックベース８５ａのガタ寄せ爪９６が、図１及び図２に示すように、ディスク２のセンターホール２ａの内周面で２つの膨出部８５ａ-5，８５ａ-5とともに内接し、第２の圧縮コイルバネ９７によって半径方向外側で２等辺三角形の頂点方向に付勢されて、ガタがないようにしている。
【００７８】
このように構成することにより、３つの係合爪９４，９４，９４でディスク２のセンターホール２ａを把持するとともに、チャックベース８５ａの側面の２つの膨出部８５ａ-5，８５ａ-5とガタ寄せ爪９６の計３点によって、センターホール２ａの内周面が常に同じ方向（ガタ寄せ爪９６が付勢される半径方向外側）に付勢され、ガタを生じないようにしている。
そして、ディスク２が回転中でも常に安定した記録及び／又は再生が行うことができるようにしている。
【００７９】
このディスクチャック装置でのディスク２の撮影者の手によるディスクチャック操作を、図５を参照して説明する。
本来の正規のディスク２のチャック状態では、図５Ａに示すように、ガタ寄せ爪９６は、ディスク２の誘い部分となる傾斜面９６ａ-2がディスク２の内側にあり、先端の先端面９６ａ-1がディスク２のセンターホール２ａ内周面を押すようにしている。
【００８０】
図５Ｂは、ターンテーブル８４に対して略平行にディスク２が近づき、センターホール２ａの内周面下の縁辺が係合爪９４の傾斜面９４ａ-2とガタ寄せ爪９６の傾斜面９６ａ-2の上に載って接した状態を示している。
この図５Ｂに示す状態から、ディスク２を下方に押し込むと、係合爪９４を付勢している第１の圧縮コイルバネ９５の方が、ガタ寄せ爪９６を付勢している第２の圧縮コイルバネ９７よりも付勢力が小さいため、係合爪９４だけが後退する。すなわち、係合爪９４の先端面９４ａ-1がセンターホール２ａの内周面と接し、ガタ寄せ爪９６の傾斜面９６ａ-2の上にセンターホール２ａの下の縁辺が載って接している状態となる。
【００８１】
そして、さらにターンテーブル８４に対してディスク２を略水平にして押し込むと、係合爪９４を付勢している第１の圧縮コイルバネ９５の方が、ガタ寄せ爪９６を付勢している第２の圧縮コイルバネ９７よりも付勢力が小さいため、図５Ｃに示すように傾いて押し込まれる。
【００８２】
図５Ｃに示すディスク２が傾いた状態からさらに押し込まれると、ガタ寄せ爪９６の傾斜面９６ａ-2の斜度（図４Ｃに示す角度Φ）が大きいため、センターホール２ａの下の縁辺が傾斜面９６ａ-2に乗っていても、撮影者の手には僅かの引っかかりを感じるだけ、容易にディスク２をフリクションシート８４ａ上に載置された正規の装着状態とすることができる。
【００８３】
これは、ガタ寄せ爪９６の先端面９６ａ-1が僅か傾きΦ（図４Ｃ参照）を有し、この先端面９６ａ-1と傾斜面９６ａ-2との境界で最先端辺９６ａ-4を構成するようになっているためである。そして、撮影者の手で僅かの引っかかりを感じたのち、僅か押すだけでこの最先端辺９６ａ-4を越えてスムーズに所定のディスク２装着位置に落ち着かせることができる。
すなわち、係合爪９４の先端面９４ａ-1をディスク２のセンターホール２ａが越えてから、ガタ寄せ爪９６の斜面９６ａ-2にディスク２が乗って引っかかりを感じた段階ではディスク２の傾斜が大きく、撮影者はもう少し押し込む必要があることが一見して了解でき、これ以降僅かの押圧によりディスク２が正規位置に装着される。
【００８４】
このときのディスク２と係合爪９４とガタ寄せ爪９６のターンテーブル８４の面（実際にはフリクションシート８４ａの上面）の関係を、図６を参照して説明する。ディスク２を把持するための係合爪９４の、図１４Ａ及びＢに示す先端面９４ａ-1の上辺９４ａ-4とターンテーブル８４の面との距離をＨｃ、ガタ寄せ爪９６の、図４Ａ及びＣに示す先端面９６ａ-1の上辺９６ａ-4（傾斜面９６ａ-2との境界で上述のように最先端辺を構成している）とターンテーブル８４の面との距離をＨｓとする。また、ディスク２の厚さをＤとする。
【００８５】
ディスク２が正常にチャックされている上述の図５Ａの状態では、ディスク２の厚みＤに対して  Ｄ＜Ｈｃ，Ｄ＜Ｈｓである。そして、図５Ｃに示す状態となるにはＤ＜Ｈｃ≦Ｈｓとすればよい。
このとき、図５Ｂに示す状態からの押し込みで図５Ｃの状態となり、さらに僅かの引っかかりのもとに押し込むことでガタ寄せ爪９６の先端面９６ａ-1と傾斜面９６ａ-2との境界である最先端辺９６ａ-4（ピーク）を越え、ディスク２が安定した装着状態に落ち着くものとなる。
【００８６】
このように構成されたディスクチャック装置によれば、ディスク２を、３つの係合爪９４，９４，９４で把持し、ガタ寄せ爪９６とチャックベース８５ａに設けられる２つの膨出部８５ａ-5，８５ａ-5でディスク２のセンターホール２ａを常に所定の一方向（ガタ寄せ爪９６が第２の圧縮コイルバネ９７で付勢されている半径方向外側）にガタを生じないように付勢された状態で、スピンドルモータ８３により回転駆動することができる。
また、ディスク２を装着するとき、ディスク２のセンターホール２ａの下の縁辺がガタ寄せ爪９６の傾斜面９６ａ-2に乗り上げるようなことがあっても、撮影者の手には僅かの引っかかりを感じるだけでスムーズにディスク２を略水平にして正規の装着状態とすることができ、ディスク２の装着による不都合が大幅に低減できる。
【００８７】
さらに、チャックベース８５ａの中心となる円Ｑの中心Ｏを、図３に示すように、予め、スピンドルモータ８３の回転軸の中心に対して、Ｌ（センターホール２ａの製作上の寸法ばらつきの１／４）だけずれるように形成されるため、ディスク２が装着されてないときには、ディスクチャック装置全体としての静的なバランスがずれているものの、さまざまなディスク２を装着したとき、センターホール２ａ径のばらつきに対して平均して良好な動的バランスを得ることができるものとなる。
【００８８】
そして、このように構成されたテーブル回転装置８２は、ディスク２を、３つの係合爪９４，９４，９４で把持し、ガタ寄せ爪９６でディスク２のセンターホール２ａを一方向にガタを生じないように付勢した状態で、スピンドルモータ８３により回転駆動する。
なお、このとき、複数のホール素子５８を磁極センサに用いてロータマグネット５７がどの位置にあるのかを検知し、この信号をもとに電子回路を制御して、回転軸８３ａの周辺に配されるステータ５５に回転磁界を発生させ、高い回転性能と長寿命をもたせるようにしている。
【００８９】
本例のディスクチャック装置によれば、ディスク２を、３つの係合爪９４，９４，９４で把持し、ガタ寄せ爪９６とチャックベース８５ａに設けられる２つの膨出部８５ａ-5，８５ａ-5でディスク２のセンターホール２ａを常に所定の一方向にガタを生じないように付勢された状態で、スピンドルモータ８３により安定した保持状態で回転駆動することができる。
【００９０】
また、ディスク２をディスクチャック装置に装着するとき、スムーズにディスク２をターンテーブル８４に略平行な正規の装着状態とすることができ、ディスク２の装着による不都合が大幅に低減できる。
さらに、チャックベース８５ａの中心となる円Ｑの中心Ｏを、予め、所定量だけずれるように形成することにより、さまざまなディスク２を装着したとき、センターホール２ａ径のばらつきに対して平均して良好なダイナミック（動的）バランスを得ることができるものとなる。
【００９１】
さらにまた、ターンテーブル８４のガタ寄せ爪９６の反対側部分に，ターンテーブル８４の一部を厚くするように偏肉部を設けたり、おもりを配設することにより、ターンテーブル８４のダイナミックバランスを偏らせるようにしてもよい。
すなわち、ディスク２のセンターホール２ａの内径は、小さい内径ではディスクチャック装置に装着できなくなるため、実際のセンターホール２ａ径は大きめなものになると考えられ、センターホール２ａ径が大きなディスク２では、ディスク２を装着したターンテーブル８４のダイナミックバランスはガタ寄せ爪９６側に偏ることになり、このカウンターバランスをとるためにターンテーブル８４のダイナラミックバランスを予め偏らせるようにするものである。
【００９２】
どの程度のカウンターバランスを設けるかは、市場でのディスク２のセンターホール径の寸法ばらつきの調査結果などによって決めればよい。
このようにダイナミックバランスの偏りを持たせることによって、実際にディスク２をターンテーブル８４に装着したときに、バランスよく回転させることができるようになる。
【００９３】
本発明のディスクチャック装置は、上述例に限ることなく本発明の要旨を逸脱することなく、その他種々の構成をとり得ることは勿論である。
【図面の簡単な説明】
【００９４】
【図１】本発明のテーブル回転装置の一例を示す断面図である。
【図２】本発明のディスクチャック装置の一例の斜視図である。
【図３】本発明のディスクチャック装置のチャックベース形状の、Ａはセンターホール径とのガタなし、Ｂはセンターホール径とのガタ大の説明図である。
【図４】本発明のガタ寄せ爪の一例を示し、Ａは前上方斜視図、Ｂは後上方斜視図、Ｃは側面図である。
【図５】本発明のディスクチャックにおける、Ａは正規位置の装着状態説明図、Ｂは装着過程の状態説明図、ＣはＢからＡに落ち着く過程の状態説明図である。
【図６】本発明のディスクチャックの説明図である。
【図７】ディスク式撮像装置の外観斜視図である。
【図８】ディスク式撮像装置のディスク蓋を開いた状態の外観斜視図である。
【図９】ディスク式撮像装置の表示装置を開いて背面側から見た外観斜視図である。
【図１０】ディスク式撮像装置を前後方向中途部で断面した説明図である。
【図１１】ディスク式撮像装置に係る仕切り壁とディスクドライブ装置との組立状態の平面図である。
【図１２】従来のテーブル回転装置の一例を示す断面図である。
【図１３】従来のディスクチャック装置の一例の斜視図である。
【図１４】本発明及び従来の係合爪の一例を示し、Ａは前上方斜視図、Ｂは後上方斜視図、Ｃは側面図である。
【図１５】従来のガタ寄せ爪の一例を示し、Ａは前上方斜視図、Ｂは後上方斜視図、Ｃは側面図である。
【図１６】従来のディスクチャックにおける、Ａは正規位置の装着状態説明図、Ｂは装着過程の状態説明図、ＣはＢからＡに落ち着く過程の状態説明図である。
【符号の説明】
【００９５】
２・・・・ディスク、２ａ・・・・センターホール、８５・・・・チャック、８５ａ・・・・チャックベース、９４・・・・係合爪、９６・・・・ガタ寄せ爪、９６ａ・・・・頭部９６ａ、９６ａ-2・・・・傾斜面、９６ａ-1・・・・先端面
【図１】
2005228374.tif 000003
【図２】
2005228374.tif 000004
【図３】
2005228374.tif 000005
【図４】
2005228374.tif 000006
【図５】
2005228374.tif 000007
【図６】
2005228374.tif 000008
【図７】
2005228374.tif 000009
【図８】
2005228374.tif 000010
【図９】
2005228374.tif 000011
【図１０】
2005228374.tif 000012
【図１１】
2005228374.tif 000013
【図１２】
2005228374.tif 000014
【図１３】
2005228374.tif 000015
【図１４】
2005228374.tif 000016
【図１５】
2005228374.tif 000017
【図１６】
2005228374.tif 000018